(57)【要約】【課題】例えば低温以外の環境下において、例えば立体表示に適した適切な表示を行うことができるようにした画像表示装置およびその駆動方法を提供する。【解決手段】複数の画素を有する表示パネル４０を、駆動制御手段（主としてタイミングコントローラ１０）によって制御する。駆動制御手段は、第１の駆動モードと第２の駆動モードとの２つの駆動モードを選択的に用いて表示パネル４０の走査駆動制御を行うことで、入力画像信号に応じた画像を表示パネル４０に表示させる。第２の駆動モードでは、表示パネル４０における１画面分の走査を開始してから１画面分の走査が終了するまでの走査期間が、第１の駆動モードに比べて短期間となるような駆動制御を行う。【選択図】図１
2011075668.tif 000002
【特許請求の範囲】
【請求項１】
複数の画素を有する表示パネルと、
第１の駆動モードと第２の駆動モードとの２つの駆動モードを選択的に用いて前記表示パネルの走査駆動制御を行うことで、入力画像信号に応じた画像を前記表示パネルに表示させる駆動制御手段と
を備え、
前記駆動制御手段は、
前記第２の駆動モードでは、前記表示パネルにおける１画面分の走査を開始してから１画面分の走査が終了するまでの走査期間が、前記第１の駆動モードに比べて短期間となるような駆動制御を行う
ようになされている画像表示装置。
【請求項２】
外部温度を検出する温度センサをさらに備え、
前記駆動制御手段は、前記温度センサによって検出された外部温度が所定の温度よりも高くなった場合に、前記第２の駆動モードでの走査駆動制御を行う
ようになされている請求項１に記載の画像表示装置。
【請求項３】
前記駆動制御手段は、
前記第１の駆動モードと前記第２の駆動モードとで、１フレーム期間内に同一枚数の画像を表示させる制御を行う
ようになされている請求項１または２に記載の画像表示装置。
【請求項４】
前記駆動制御手段には、前記入力画像信号として、１フレーム期間内に、複数の画像が時間順次で含まれるような画像信号が入力され、
前記駆動制御手段は、前記第２の駆動モードでは、１フレーム期間内に表示する画像の枚数を一定に保ったまま、１フレーム期間内の各画像の表示を開始する時間を任意に設定可能とされている
請求項３に記載の画像表示装置。
【請求項５】
前記駆動制御手段は、
前記第２の駆動モードでは、前記第１の駆動モードに比べて１フレーム期間内に表示させる画像枚数を増加させる制御を行う
ようになされている請求項１または２に記載の画像表示装置。
【請求項６】
前記駆動制御手段には、前記入力画像信号として、ＲＧＢの各色の信号を含む画像信号が入力され、
前記駆動制御手段は、
ＲＧＢの画像信号を輝度信号Ｙと色差信号ＵＶとにデータ圧縮した状態で変換するＲＧＢ−ＹＵＶエンコーダと、圧縮された輝度信号Ｙと色差信号ＵＶとを圧縮前の前記ＲＧＢの画像信号に変換するＹＵＶ−ＲＧＢデコーダとを有し、
前記第２の駆動モードでは、前記ＲＧＢ−ＹＵＶエンコーダと前記ＹＵＶ−ＲＧＢデコーダとを用いてデータ伝送速度を速めることで、前記第１の駆動モードに比べて走査期間が短期間となるような駆動制御を行う
ようになされている請求項１または２に記載の画像表示装置。
【請求項７】
互いに独立して開閉制御が可能とされた左眼用のシャッタと右眼用のシャッタとを有する液晶シャッタメガネをさらに備え、
前記駆動制御手段には、前記入力画像信号として、互いに視差のある左眼用画像と右眼用画像とが時間順次で含まれる立体画像信号が入力され、
前記駆動制御手段は、前記表示パネルに時分割で左眼用画像と右眼用画像とを交互に表示する制御を行い、
前記液晶シャッタメガネは、前記表示パネルにおける前記左眼用画像と前記右眼用画像との表示タイミングに同期させて前記左眼用のシャッタと前記右眼用のシャッタとを立体視が可能となるように開閉制御する
ようになされている請求項１または２に記載の画像表示装置。
【請求項８】
複数の画素を有する表示パネルを、駆動制御手段によって制御し、
前記駆動制御手段が、
第１の駆動モードと第２の駆動モードとの２つの駆動モードを選択的に用いて前記表示パネルの走査駆動制御を行うことで、入力画像信号に応じた画像を前記表示パネルに表示させ、
前記第２の駆動モードでは、前記表示パネルにおける１画面分の走査を開始してから１画面分の走査が終了するまでの走査期間が、前記第１の駆動モードに比べて短期間となるような駆動制御を行う
ようにした画像表示装置の駆動方法。
【発明の詳細な説明】
【技術分野】
【０００１】
本発明は、例えばメガネ式の立体表示に利用される画像表示装置および画像表示装置の駆動方法に関する。
【背景技術】
【０００２】
従来より、液晶シャッタを利用した立体視用の特殊なメガネを装着させて観察者の両眼に視差のある別々の画像を見せることで、立体視を実現する眼鏡式の立体表示装置が知られている。立体視を実現するためには、左眼と右眼とに異なる視差画像を見せる必要があるため、左眼用画像と右眼用画像との２つの視差画像が必要となる。メガネ式の立体表示装置では、２次元表示パネルに時分割で左眼用画像と右眼用画像とを交互に表示し、その表示タイミングに同期させて液晶シャッタメガネのシャッタを左眼と右眼とで交互にオン／オフ（開／閉）制御することで、立体視を実現する。
【先行技術文献】
【特許文献】
【０００３】
【特許文献１】特開平１１−９５７２２号公報
【発明の概要】
【発明が解決しようとする課題】
【０００４】
立体表示装置において、２次元表示パネルに両眼視差画像を表示する場合、左右の各視差画像の表示間隔が空きすぎてしまうとフリッカが発生する。これを解決するために、通常の６０Ｈｚ（または５０Ｈｚ）のフレーム周波数期間内に、左右の各視差画像を時分割で表示する方法がある。この場合、各視差画像が１２０Ｈｚ（または１００Ｈｚ）のフレーム周波数で表示される。この場合、２次元表示パネルとしては、通常の６０Ｈｚの駆動速度に対して１２０Ｈｚの２倍速での駆動性能が必要とされる。特許文献１では、２次元表示パネルとしてプラズマディスプレイパネルを用いる場合において、２つの水平ラインを同時に走査することで、２倍速での駆動を可能としているが、２つの水平ラインを同時に走査する方法では、垂直方向の表示解像度が１／２に低下してしまう。一方、液晶表示パネルの場合、近年では１２０Ｈｚの倍速駆動が可能なものが既に製品化されており、表示解像度を低下させることなく、６０Ｈｚ（または５０Ｈｚ）のフレーム周波数期間内に、左右の各視差画像を時分割で表示することが可能である。
【０００５】
しかしながら、液晶表示パネルの場合、液晶の応答速度に問題があり、駆動信号を印加してから画像が完全に切り換わるまでに遅延が生ずる場合がある。このため、左右の各視差画像を時分割で表示する場合において、左右の各視差画像が完全に切り換わらずに、左右の各視差画像が混じって表示されるクロストークが発生する場合がある。例えばバックライトを常時点灯させ、画面を上から下へと走査して行く場合、特に画面の上下に行くに従ってクロストークが酷くなってしまう。これを改善する方法として、左右の各視差画像を時分割で２度書きする方法が考えられる。例えば左眼用画像をＬ、右眼用画像をＲとすると、６０Ｈｚのフレーム周波数期間内に例えばＬＬＲＲの順に画像表示を行う方法が考えられる。この場合、同じ画像を２度書きすることで、左右の各視差画像を１枚ずつ表示する場合に比べて左右の各視差画像の切り換えタイミングが改善される。そして十分に左右の各視差画像が切り換わったタイミングで液晶シャッタメガネのシャッタをオン／オフ制御することで、クロストークを改善できる。
【０００６】
上記したＬＬＲＲの表示を行うためには、各視差画像を２４０Ｈｚ以上のフレーム周波数で表示する必要がある。最近では液晶表示パネルの高級機種として、通常の６０Ｈｚ（または５０Ｈｚ）の駆動速度に対して、２４０Ｈｚ（または２００Ｈｚ）の４倍速での駆動が可能なものが開発されている。このような液晶表示パネルを用いることで、上記したＬＬＲＲの表示を行うことが可能である。
【０００７】
しかしながら、従来の駆動方法を用いて、上記したＬＬＲＲの表示を行って液晶シャッタメガネにおけるシャッタの開閉タイミングとの同期を取ったとしても、液晶応答の関係上、クロストークを完全に無くすことは困難である。この方法では、左右いずれか一方の視差画像を２度書きして液晶応答が完了しかけた後すぐに他方の視差画像の表示走査を行うため、応答が追い付いていない画面下部と、次の視差画像を表示するための応答が開始している画面上部とでクロストークが生じてしまう。画面の中心部でクロストークが極小となるように液晶シャッタメガネのシャッタタイミングを合わせたとしても画面上下でクロストークが生じてしまう。さらに低温の環境下では応答速度が常温に比べて低下してしまうので、クロストークの問題が悪化する傾向にある。このようなクロストークの問題を解決するために、走査速度を速める（１画面分の走査を開始してから１画面分の走査が終了するまでの走査期間を短くする）ことが考えられる。一方で、走査速度を速めることは、液晶表示パネルの特性上、低温以外（常温、高温）の環境下でしか実現が困難である。しかしながら、通常の液晶表示パネルでは、低温の環境下での書き込み特性を保証するため、低温以外での走査速度の性能に余裕を持たせており、走査速度を意図的に速めるようなことはしていない。
【０００８】
本発明はかかる問題点に鑑みてなされたもので、その目的は、例えば低温以外の環境下において、例えば立体表示に適した適切な表示を行うことができるようにした画像表示装置およびその駆動方法を提供することにある。
【課題を解決するための手段】
【０００９】
本発明による画像表示装置は、複数の画素を有する表示パネルと、第１の駆動モードと第２の駆動モードとの２つの駆動モードを選択的に用いて表示パネルの走査駆動制御を行うことで、入力画像信号に応じた画像を表示パネルに表示させる駆動制御手段とを備えたものである。そして、駆動制御手段が、第２の駆動モードでは、表示パネルにおける１画面分の走査を開始してから１画面分の走査が終了するまでの走査期間が、第１の駆動モードに比べて短期間となるような駆動制御を行うようにしたものである。
【００１０】
本発明による画像表示装置では、例えば外部温度が所定の温度よりも高くなった場合に、第２の駆動モードでの走査駆動制御が行われる。第２の駆動モードでは、第１の駆動モードに比べて走査期間が短期間となるような駆動制御を行う。これにより、例えば低温以外（常温、高温）の環境下で高速に画面走査を行うことが可能となる。
【発明の効果】
【００１１】
本発明の画像表示装置またはその駆動方法によれば、第２の駆動モードでは、第１の駆動モードに比べて走査期間が短期間となるような駆動制御を行うようにしたので、例えば低温以外（常温、高温）の環境下で高速に画面走査を行うことが可能となり、低温以外の環境下で立体表示に適した適切な表示を行うことができる。
【図面の簡単な説明】
【００１２】
【図１】本発明の第１の実施の形態に係る画像表示装置の回路構成を示すブロック図である。
【図２】（Ａ）は６０Ｈｚのフレーム周波数期間内に左眼用画像と右眼用画像とが２つずつ含まれた状態を模式的に示す説明図であり、（Ｂ）は（Ａ）に示した各画像を第１の駆動モードで表示した状態を模式的に示す説明図である。
【図３】本発明の第１の実施の形態に係る画像表示装置における第２の駆動モードによる第１の表示例を模式的に示す説明図である。
【図４】本発明の第１の実施の形態に係る画像表示装置における第２の駆動モードによる第２の表示例を模式的に示す説明図である。
【図５】本発明の第２の実施の形態に係る画像表示装置における第２の駆動モードによる表示例を模式的に示す説明図である。
【図６】本発明の第３の実施の形態に係る画像表示装置の回路構成を示すブロック図である。
【発明を実施するための形態】
【００１３】
以下、本発明の実施の形態について図面を参照して詳細に説明する。
【００１４】
＜第１の実施の形態＞
［画像表示装置の構成］
図１は、本発明の第１の実施の形態に係る画像表示装置の全体構成を示している。この画像表示装置は、例えば液晶シャッタメガネと組み合わせて立体表示装置として用いることができる。この画像表示装置は、タイミングコントローラ（ＴＣＯＮ）（ＬＣＤコントローラ）１０と、第１のフレームバッファ２１と、外部ＲＯＭ（Read Only Memory）２２と、第２のフレームバッファ２３と、温度センサ２５と、表示パネル４０とを備えている。この画像表示装置はまた、表示パネル４０の複数のソースラインに接続されたソースドライバ４１と、表示パネル４０の複数のゲートラインに接続されたゲートドライバ４２とを備えている。ソースドライバ４１は、複数個のドライバ４１−１，４１−２，…４１−ｎからなり、それぞれのドライバには、所定数のソースラインが接続されている。ゲートドライバ４２は、複数個のドライバ４２−１，４２−２，…４２−ｍからなり、それぞれのドライバには、所定数のゲートラインが接続されている。図１において、表示パネル４０を除く回路部分が、本発明における「駆動制御手段」の一具体例に対応する。
【００１５】
表示パネル４０は、例えばバックライト３から照射された光の通過を液晶分子によってコントロールすることによって画像表示を行う透過型の液晶パネルである。表示パネル４０は、図示しないが、画素電極基板と、画素電極基板に対向するように配置された対向基板と、画素電極基板と対向基板との間に封入された液晶層とを備えている。対向基板の液晶層側には、共通電位ＶＣが印加される面状の共通電極が一様に形成されている。画素電極基板の液晶層側には、マトリクス状に複数の画素電極が形成されている。共通電極と画素電極は、例えばＩＴＯ（Indium-Tin Oxide）による透明電極によって形成されている。画素電極には、例えばＴＦＴ（薄膜トランジスタ）によって選択的に信号電圧が印加されるようになっている。
【００１６】
タイミングコントローラ１０は、受信部１１と、データ処理回路１２と、第１のメモリコントローラ１３と、色補正回路１４と、オーバドライブ回路１５と、第２のメモリコントローラ１６と、タイミングジェネレータ回路部１７と、温度判定回路２６とを有している。タイミングジェネレータ回路部１７は、制御信号生成部１８と、データフォーマッタ１９と、送信部２０とを有している。
【００１７】
タイミングコントローラ１０は、入力画像信号に基づいてソースドライバ４１およびゲートドライバ４２を制御することで表示パネル４０の駆動を行うものである。タイミングコントローラ１０は、第１の駆動モードと第２の駆動モードとの２つの駆動モードを選択的に用いて、入力画像信号に応じた画像を表示パネルに表示させるようになっている。
【００１８】
ここで、第１の駆動モードは、通常の駆動モードである。第２の駆動モードは、表示パネル４０における１画面分の走査を開始してから１画面分の走査が終了するまでの走査期間が、第１の駆動モードに比べて短期間となるような駆動制御を行うモードである。第２の駆動モードは、例えば外部環境が低温ではなく、表示パネル４０における液晶の応答能力が比較的高くなるような、所定の高い温度環境（常温、高温）となった場合に用いられる。
【００１９】
外部ＲＯＭ２２は、タイミングコントローラ１０内部の動作設定を格納するものである。第１のフレームバッファ２１および第２のフレームバッファ２３は、例えばタイミングコントローラ１０において、フレーム間画像の信号処理を行うための画像情報を一時格納するものである。ゲートドライバ４２は、表示パネル４０の各サブ画素電極に接続されたスイッチング素子Ｔを水平ライン単位でオンさせるものである。ソースドライバ４１は、ゲートドライバ４２によって選択された水平ラインの画素に、表示データに相当する電位を供給するものである。
【００２０】
受信部１１は、外部から転送された入力画像信号を受信するものである。入力画像信号としては例えば、Ｒ（赤），Ｇ（緑），Ｂ（青）の画像データ信号と、表示制御信号（垂直同期信号Hsync、水平同期信号Vsync、書き込み制御信号Enable）とを含む信号が入力される。画像データ信号は、例えば図２（Ａ）に示したように、互いに視差のある左眼用画像Ｌ１，Ｌ２…と右眼用画像Ｒ１，Ｒ２…とが時間順次で交互に含まれる立体画像信号である。例えば６０Ｈｚのフレーム周波数期間（１６．６ｍｓ）内に、左右の各視差画像が２つずつ時間的に等間隔に含まれている。この場合、各視差画像は２４０Ｈｚ（４．１７ｍｓ）で更新されることになる。タイミングコントローラ１０は、第１の駆動モードを用いて、通常は、図２（Ａ）に示したようなフレーム構成の画像をそのままの表示レートで表示パネル４０に表示させる。
【００２１】
データ処理回路１２は、入力画像信号のフレームレートを変換するものである。第１のメモリコントローラ１３は、データ処理回路１２と第１のフレームバッファ２１間の画像情報の書き込み、読み出し制御を行うものである。
【００２２】
色補正回路１４は、色ガンマ特性を補正するものである。第２のメモリコントローラ１６は、オーバドライブ回路１５と第２のフレームバッファ２３との間の画像情報の書き込み読み出し制御を行うものである。オーバドライブ回路１５は、第２のフレームバッファ２３を介してフレーム遅延した画像と色補正回路１４からの遅延のない画像情報との組み合わせに従い、信号変換を行うものである。
【００２３】
タイミングジェネレータ回路部１７は、オーバドライブ回路１５からの画像信号を表示パネル４０を駆動するための信号に変換して、ソースドライバ４１とゲートドライバ４２とに供給するものである。データフォーマッタ１９は、ソースドライバ４１の伝送方式に従って画像データの配列を変換するものである。送信部２０は、ソースドライバ４１の伝送方式に従った信号転送を行うものである。制御信号生成部１８は、ソースドライバ４１とゲートドライバ４２とに対して制御信号を供給するものである。制御信号生成部１８は、ゲートドライバ４２に対しては、表示パネル４０の水平ラインを走査するためのゲートドライバ制御信号を供給する。ソースドライバ４１には駆動信号として、送信部２０を介してＲＧＢの画像データに応じた信号が入力されると共に、制御信号生成部１８からソースドライバ制御信号が入力される。ソースドライバ制御信号は、表示パネル４０の各画素に書き込みを行う電位の極性とレベル変換の制御をする信号である。
【００２４】
温度センサ２５は、外部温度を検出するものである。温度判定回路２６は、温度センサ２５によって検出された外部温度があらかじめ設定された所定の温度よりも高くなったか否かを判定するものである。温度判定回路２６による判定結果は、データ処理回路１２と、タイミングジェネレータ回路部１７の制御信号生成部１８とに入力される。データ処理回路１２と制御信号生成部１８は、あらかじめ設定された所定の温度よりも高くなったと判定された場合には、第２の駆動モードでの走査駆動制御を行うようになっている。データ処理回路１２は、第２の駆動モードでの走査駆動制御を行う場合には、入力画像信号の周波数変換を行う。制御信号生成部１８は、第２の駆動モードでは、その変換された信号周波数に対応したタイミングの制御信号を生成する。
【００２５】
［第１の駆動モードによる動作］
この画像表示装置は、第１の駆動モードでは、例えば図２（Ａ），（Ｂ）に示したような表示を行う。図２（Ａ）は６０Ｈｚのフレーム周波数期間内に左眼用画像Ｌ１，Ｌ２…と右眼用画像Ｒ１，Ｒ２…とが２つずつ含まれた状態を模式的に示している。図２（Ｂ）は図２（Ａ）に示した各画像を第１の駆動モードで表示した状態を模式的に示している。図２（Ｂ）では、表示パネル４０の画面の走査と液晶応答を考慮した画像イメージである。Ｇ１は左眼用画像Ｌ１の１回目の走査を模式的に示し、Ｇ２は同一の左眼用画像Ｌ１の２回目の走査を模式的に示している。この例では、各画像の走査を開始してから走査が終了するまでの走査期間が４．１７ｍｓとなっている。
【００２６】
立体視を行う場合、例えば液晶シャッタメガネを用いる。液晶シャッタメガネは、互いに独立して開閉制御が可能とされた左眼用のシャッタと右眼用のシャッタとを有するものである。液晶シャッタメガネは、表示パネル４０における左眼用画像Ｌ１，Ｌ２…と右眼用画像Ｒ１，Ｒ２…との表示タイミングに適切に同期させて左眼用のシャッタと右眼用のシャッタとを適切に開閉制御することで、立体視が可能となる。
【００２７】
図２（Ｂ）に示したように、表示パネル４０では、１回目の走査Ｇ１から、左眼用画像Ｌ１の画素データが書き込まれるが、液晶応答の遅延があるため、１回目の走査Ｇ１を開始した時点では時間的に１つ前の画像（右眼用画像Ｒ０）が表示されている。点線部ＬＳ１は、表示パネル４０において、画像表示が左眼用画像Ｌ１にほぼ切り換わるタイミングを示している。液晶シャッタメガネ側では、このタイミングＬＳ１に同期するように左眼用のシャッタを開状態とする。点線部ＲＳ１は、表示パネル４０において、画像表示が右眼用画像Ｒ１にほぼ切り換わるタイミングを示している。液晶シャッタメガネ側では、このタイミングＲＳ１に同期するように右眼用のシャッタを開状態とする。なお、シャッタを開状態とするタイミングは画面中央で最適となるように適宜調整する。
【００２８】
この第１の駆動モードでは、液晶の応答速度の関係上、左右の各視差画像が完全に切り換わらずに、左右の各視差画像が混じって表示されるクロストークが発生する場合がある。例えばバックライトを常時点灯させ、画面を上から下へと走査して行く場合、特に画面の上下に行くに従ってクロストークが酷くなってしまう。本実施の形態では、そのような場合に、第２の駆動モードで駆動することで、クロストークを軽減する。
【００２９】
［第２の駆動モードによる動作］
図３（Ａ），（Ｂ）は、第２の駆動モードによる第１の表示例であり、図２（Ａ），（Ｂ）に示した第１の駆動モードによる走査に比べて、１．５倍の速度で画面走査を行った例である。これにより、各画像の走査を開始してから走査が終了するまでの走査期間が２．７７ｍｓに短縮されている。このような走査を行うために、データ処理回路１２は、第１のメモリコントローラ１３と第１のフレームバッファ２１とを用いて、入力画像信号のフレームレートを上げる処理を行う。
【００３０】
このように１．５倍の速度で走査を行うことで、第１の駆動モードに比べて、左眼用画像Ｌ１の走査Ｇ１，Ｇ２を６０Ｈｚの１フレーム周波数期間内で早く行うことができ、１フレーム周波数期間内で表示応答のプロファイルを揃える方向にすることができる。表示応答が揃うため、液晶シャッタメガネのシャッタを開くタイミングが最適となる範囲が広がる。走査が早い分、図２（Ａ），（Ｂ）のような表示に比べて、両眼の視差画像の混じりが少ない、よりよいタイミングでシャッタを開けることができる。なお、１．５倍速にすることにより、６０Ｈｚの１フレーム周波数期間内で左右の視差画像を増やして表示することも可能であるが、本実施の形態では、第１の駆動モードと第２の駆動モードとで画像の表示枚数を同一数にする駆動制御を行う。
【００３１】
図４（Ａ），（Ｂ）は、第２の駆動モードによる第２の表示例である。図３（Ａ），（Ｂ）の表示例と同様に１．５倍の速度で画面走査を行うが、各画像の表示を開始する時間が図３（Ａ），（Ｂ）の表示例とは異なっている。例えば図３（Ａ），（Ｂ）の表示例では、左眼用画像Ｌ１の１回目の走査Ｇ１を行った後、すぐに２回目の走査Ｇ２を開始している。これに対して、図４（Ａ），（Ｂ）の表示例では、左眼用画像Ｌ１の１回目の走査Ｇ１を行った後、所定間隔を空けて２回目の走査Ｇ２を開始している。図４（Ａ），（Ｂ）の表示例では、１回目の走査Ｇ１の開始タイミングと２回目の走査Ｇ２の開始タイミングとの間隔が３．５ｍｓとなっている。なお、各画像の走査を開始してから走査が終了するまでの走査期間は図３（Ａ），（Ｂ）の表示例と同様、２．７７ｍｓに短縮されている。このように、本実施の形態では、第２の駆動モードで駆動を行う場合に、１フレーム期間内に表示する画像の枚数を一定に保ったまま、１フレーム期間内の各画像の表示を開始する時間を任意に設定可能とされている
【００３２】
本実施の形態では、第２の駆動モードによって画面走査を早くすることによって、オーバドライブ回路１５の帰還ループによる応答改善効果も得られる。オーバドライブ回路１５は、表示画像の駆動を時間方向に帰還を行うことで液晶応答の補償を行う。本実施の形態のように同じ画像が連続する場合、１回目でオーバドライブが強く補正された後、２回目は弱く補正、もしくは補正しないことにより、動作が安定することが多い。液晶表示装置の応答特性によっては１回目と２回目の表示駆動の更新は早くない方がよいときもある。そこで１回目と２回目の表示更新の期間を任意にとることで、オーバドライブの帰還タイミング調整を可能にしている。
【００３３】
以上説明したように、本実施の形態によれば、例えば外部温度が所定の温度よりも高くなった場合に、第２の駆動モードでの走査駆動制御を行い、第１の駆動モードに比べて走査期間が短期間となるような駆動制御を行う。これにより、例えば低温以外の環境下であっても高速に画面走査を行うことが可能となり、クロストークを軽減することができる。また、シャッタメガネのシャッタを開く際の最適タイミングの設定に時間的な余裕ができるので、シャッタを開く時間も長くとれて輝度も改善できる。
【００３４】
＜第２の実施の形態＞
次に、本発明の第２の実施の形態に係る画像表示装置について説明する。なお、上記第１の実施の形態に係る画像表示装置と実質的に同一の構成部分には同一の符号を付し、適宜説明を省略する。
【００３５】
本実施の形態に係る画像表示装置は、上記第１の実施の形態に対して第２の駆動モードによる動作が異なっている。基本的な回路構成と第１の駆動モードによる動作は上記第１の実施の形態と同様である。
【００３６】
図５（Ａ），（Ｂ）は、本実施の形態における第２の駆動モードによる表示例である。本実施の形態においても、第２の駆動モードでは、図３（Ａ），（Ｂ）の表示例と同様に１．５倍の速度で画面走査を行うが、本実施の形態ではさらに、第１の駆動モードに比べて１フレーム期間内に表示させる画像枚数を増加させる制御を行う。１．５倍速にすることにより、表示期間に余裕ができるので、図５（Ａ），（Ｂ）の表示例では６０Ｈｚの１フレーム周波数期間内で左右の視差画像を１枚ずつ増やして表示している。これにより、１フレーム周波数期間内で左眼用画像Ｌ１と右眼用画像Ｌ２とをそれぞれ、連続して３回表示している。なお、あらたに挿入する画像の生成は、データ処理回路１２が、第１のメモリコントローラ１３と第１のフレームバッファ２１とを用いて行う。
【００３７】
このように、本実施の形態では、第２の駆動モードによって１画像の走査期間を短くした分、画像の表示枚数を増加させる。これにより、オーバドライブ回路１５における帰還回数を増やすことで、表示装置の応答特性を改善することができる、後段の駆動回路が能力的に余裕がある場合には、走査期間を短くしたことによって空いた時間の許す限りの枚数の画像を挿入して良い。
【００３８】
＜第３の実施の形態＞
次に、本発明の第３の実施の形態に係る画像表示装置について説明する。なお、上記第１または第２の実施の形態に係る画像表示装置と実質的に同一の構成部分には同一の符号を付し、適宜説明を省略する。
【００３９】
図６は、本実施の形態に係る画像表示装置の全体構成を示している。本実施の形態は、ＲＧＢ−ＹＵＶエンコーダとＹＵＶ−ＲＧＢデコーダとを用いてデータ伝送速度の高速化を図ったものである。ＲＧＢ−ＹＵＶエンコーダは、ＲＧＢの画像信号を輝度信号Ｙと色差信号ＵＶとにデータ圧縮した状態で変換するものである。ＹＵＶ−ＲＧＢデコーダは、圧縮された輝度信号Ｙと色差信号ＵＶとを圧縮前のＲＧＢの画像信号に変換するものである。
【００４０】
まず、タイミングコントローラ１０Ａ内において、第１のメモリコントローラ１３と第１のフレームバッファ２１との間に、一対のＲＧＢ−ＹＵＶエンコーダ３１とＹＵＶ−ＲＧＢデコーダ３２とが設けられている。また、第２のメモリコントローラ１６と第２のフレームバッファ２３との間に、一対のＲＧＢ−ＹＵＶエンコーダ３３とＹＵＶ−ＲＧＢデコーダ３４とが設けられている。さらに、オーバドライブ回路１５とデータフォーマッタ１９との間にＲＧＢ−ＹＵＶエンコーダ３５が設けられている。また、これに対応して、ソースドライバ４１（４１−１，４１−２，…４１−ｎ）内に、ＹＵＶ−ＲＧＢデコーダ４３（４３−１，４３−２，…４３−ｍ）が設けられている。
【００４１】
本実施の形態では、第２の駆動モードでは、ＲＧＢ−ＹＵＶエンコーダとＹＵＶ−ＲＧＢデコーダとを用いてデータ伝送速度を速めることで、第１の駆動モードに比べて走査期間が短期間となるような駆動制御を行うことができる。ＲＧＢ−ＹＵＶエンコーダでのＲＧＢ−ＹＵＶ変換処理において、データ圧縮を行うことで表示デバイスのチップセット間での画像データ転送の情報量を圧縮することができる。この分を高速伝送することが可能となる。
【００４２】
＜その他の実施の形態＞
本発明は、上記各実施の形態に限定されず種々の変形実施が可能である。
例えば上記各実施の形態では、入力画像信号として、互いに視差のある左眼用画像と右眼用画像とが時間順次で含まれる立体画像信号が入力された場合を例に説明したが、本発明における駆動方法は、立体画像信号以外にも適用可能である。また、上記各実施の形態では、第２の駆動モードにおいて、第１の駆動モードに対して１．５倍の速度で画面走査を行う例を示したが、第２の駆動モードの走査速度は１．５倍に限らず、他の速度であっても良い。
【符号の説明】
【００４３】
１０，１０Ａ…タイミングコントローラ（ＬＣＤコントローラ）、１１…受信部、１２…データ処理回路、１３…第１のメモリコントローラ、１４…色補正回路、１５…オーバドライブ回路、１６…第２のメモリコントローラ、１７…タイミングジェネレータ回路部、１８…制御信号生成部、１９…データフォーマッタ、２０…送信部、２１…第１のフレームバッファ、２２…外部ＲＯＭ、２３…第２のフレームバッファ、２５…温度センサ、２６…温度判定回路、３１…ＲＧＢ−ＹＵＶエンコーダ、３２…ＹＵＶ−ＲＧＢデコーダ、３３…ＲＧＢ−ＹＵＶエンコーダ、３４…ＹＵＶ−ＲＧＢデコーダ、３５…ＲＧＢ−ＹＵＶエンコーダ、４０…表示パネル、４１（４１−１，４１−２，…４１−ｎ）…ソースドライバ、４２（４２−１，４２−２，…４２−ｍ）…ゲートドライバ、４３（４３−１，４３−２，…４３−ｍ）…ＹＵＶ−ＲＧＢデコーダ。
【図１】
2011075668.tif 000003
【図２】
2011075668.tif 000004
【図３】
2011075668.tif 000005
【図４】
2011075668.tif 000006
【図５】
2011075668.tif 000007
【図６】
2011075668.tif 000008